【手続補正書】
【提出日】平成25年12月9日(2013.12.9)
【手続補正１】
【補正対象書類名】特許請求の範囲
【補正対象項目名】全文
【補正方法】変更
【補正の内容】
【特許請求の範囲】
【請求項１】
下記構造式（１）および（２）で表される構成単位からなる群から選ばれる少なくとも一方の構成単位からなる第１のポリマーブロックと、
下記構造式（３）および（４）で表される構成単位からなる群から選ばれる少なくとも一方の構成単位からなる第２のポリマーブロックと、
下記構造式（１）および（２）で表される構成単位からなる群から選ばれる少なくとも一方の構成単位からなる第３のポリマーブロックとを有し、かつ、
該第２のポリマーブロックが、該第１のポリマーブロックと該第３のポリマーブロックによって挟まれているブロックコポリマーを含有している表面層を具備していることを特徴とする現像剤担持体：
【化１】
2012127981.tif 000001
［Ｒ１は水素原子もしくはメチル基、Ｒ２は炭素数１以上１３以下の直鎖または分岐を有するアルキル基またはシクロアルキル基を表す。］、
【化２】
2012127981.tif 000002
［Ｒ３は水素原子もしくはメチル基、Ｒ４は炭素数１あるいは２のアルキレン基、Ｒ５は炭素数１以上８以下のパーフルオロアルキル基を表す。］、
【化３】
2012127981.tif 000003
［Ｒ６は水素原子もしくはメチル基、Ｒ７，Ｒ８は各々独立して炭素数１以上１２以下のアルキル基を表す。］、
【化４】
2012127981.tif 000004
［Ｒ９は水素原子もしくはメチル基、Ｒ10，Ｒ11，Ｒ12は各々独立して炭素数１以上１２以下のアルキル基、Ｘ-はハロゲンイオンあるいはパラトルエンスルホン酸イオンを表す。］。
【請求項２】
前記表面層に、ポリエーテル、ポリエステル、ポリカーボネート、ポリブタジエン、ポリイソプレン、アクリルから選ばれる少なくとも1種からなるポリオール成分を、ポリイソシアネートおよび／またはメラミンで架橋した樹脂、またはフェノール樹脂を含有する、請求項１に記載の現像剤担持体。
【請求項３】
前記第１のポリマーブロックが前記構成単位のｎ回の繰り返しで形成されており、
前記第２のポリマーブロックが前記構成単位のｍ回の繰り返しで形成されており、かつ
前記第３のポリマーブロックが前記構成単位のｌ回の繰り返しで形成されており、
ｍに対する（ｎ+ｌ）の比が下記式で示される関係を満たす請求項１または２のいずれかに記載の現像剤担持体：
５／９５≦  （ｎ＋ｌ）／ｍ  ≦５０／５０ 。 
【請求項４】
前記第１および第３のポリマーブロックが、下記式（５）で示される構成単位からなり、
前記第２のポリマーブロックが、下記式（６）で示される構成単位からなる請求項１乃至３のいずれか一項に記載の現像剤担持体：
【化５】
2012127981.tif 000005
［Ｒ13は水素原子あるいはメチル基、Ｒ14は炭素数１以上４以下の直鎖または分岐を有するアルキル基またはシクロアルキル基を表す。］、
【化６】
2012127981.tif 000006
［Ｒ15は水素原子あるいはメチル基、Ｒ16，Ｒ17，Ｒ18は各々独立して炭素数１以上１２以下のアルキル基、Ｘ-はハロゲンイオンあるいはパラトルエンスルホン酸イオンを表す。］。
【請求項５】
前記表面層が、ポリエーテルポリウレタン樹脂及び脂肪族ポリエステルポリウレタン樹脂から選ばれる少なくとも一方を含有する請求項１乃至４のいずれか一項に記載の現像剤担持体。
【請求項６】
電子写真装置に着脱可能に構成されているプロセスカートリッジであって、請求項１乃至５のいずれか一項に記載の現像剤担持体を有していることを特徴とするプロセスカートリッジ。
【請求項７】
請求項１乃至５のいずれか一項に記載の現像剤担持体を有していることを特徴とする電子写真装置。
【手続補正２】
【補正対象書類名】明細書
【補正対象項目名】０００８
【補正方法】変更
【補正の内容】
【０００８】
【化１】
2012127981.tif 000007
［Ｒ１は水素原子もしくはメチル基、Ｒ２は炭素数１以上１３以下の直鎖または分岐を有するアルキル基またはシクロアルキル基を表す。］
【手続補正３】
【補正対象書類名】明細書
【補正対象項目名】０００９
【補正方法】変更
【補正の内容】
【０００９】
【化２】
2012127981.tif 000008
［Ｒ３は水素原子もしくはメチル基、Ｒ４は炭素数１あるいは２のアルキレン基、Ｒ５は炭素数１以上８以下のパーフルオロアルキル基を表す。］
【手続補正４】
【補正対象書類名】明細書
【補正対象項目名】００１０
【補正方法】変更
【補正の内容】
【００１０】
【化３】
2012127981.tif 000009
［Ｒ６は水素原子もしくはメチル基、Ｒ７，Ｒ８は各々独立して炭素数１以上１２以下のアルキル基を表す。］
【手続補正５】
【補正対象書類名】明細書
【補正対象項目名】００１１
【補正方法】変更
【補正の内容】
【００１１】
【化４】
2012127981.tif 000010
［Ｒ９は水素原子もしくはメチル基、Ｒ10，Ｒ11，Ｒ12は各々独立して炭素数１以上１２以下のアルキル基、Ｘ-はハロゲンイオンあるいはパラトルエンスルホン酸イオンを表す。］
【手続補正６】
【補正対象書類名】明細書
【補正対象項目名】００１９
【補正方法】変更
【補正の内容】
【００１９】
【化５】
2012127981.tif 000011
［Ｒ１は水素原子もしくはメチル基、Ｒ２は炭素数１以上１３以下の直鎖または分岐を有するアルキル基またはシクロアルキル基を表す。］、
【手続補正７】
【補正対象書類名】明細書
【補正対象項目名】００２０
【補正方法】変更
【補正の内容】
【００２０】
【化６】
2012127981.tif 000012
［Ｒ３は水素原子もしくはメチル基、Ｒ４は炭素数１あるいは２のアルキレン基、Ｒ５は炭素数１以上８以下のパーフルオロアルキル基を表す。］、
【手続補正８】
【補正対象書類名】明細書
【補正対象項目名】００２１
【補正方法】変更
【補正の内容】
【００２１】
【化７】
2012127981.tif 000013
［Ｒ６は水素原子もしくはメチル基、Ｒ７，Ｒ８は各々独立して炭素数１以上１２以下のアルキル基を表す。］、
【手続補正９】
【補正対象書類名】明細書
【補正対象項目名】００２２
【補正方法】変更
【補正の内容】
【００２２】
【化８】
2012127981.tif 000014
［Ｒ９は水素原子もしくはメチル基、Ｒ10，Ｒ11，Ｒ12は各々独立して炭素数１以上１２以下のアルキル基、Ｘ-はハロゲンイオンあるいはパラトルエンスルホン酸イオンを表す。］。
【手続補正１０】
【補正対象書類名】明細書
【補正対象項目名】００２８
【補正方法】変更
【補正の内容】
【００２８】
【化９】
2012127981.tif 000015
［Ｒ13は水素原子あるいはメチル基、Ｒ14は炭素数１以上４以下の直鎖または分岐を有するアルキル基またはシクロアルキル基を表す。］
【手続補正１１】
【補正対象書類名】明細書
【補正対象項目名】００２９
【補正方法】変更
【補正の内容】
【００２９】
【化１０】
2012127981.tif 000016
［Ｒ15は水素原子あるいはメチル基、Ｒ16，Ｒ17，Ｒ18は各々独立して炭素数１以上１２以下のアルキル基、Ｘ-はハロゲンイオンあるいはパラトルエンスルホン酸イオンを表す。］
【手続補正１２】
【補正対象書類名】明細書
【補正対象項目名】００４５
【補正方法】変更
【補正の内容】
【００４５】
【表１】
2012127981.tif 000017
※表中のＲ１〜Ｒ12及びＸ-は、前記構造式（１）〜（４）中の記号に対応する。
【手続補正１３】
【補正対象書類名】明細書
【補正対象項目名】００４６
【補正方法】変更
【補正の内容】
【００４６】
ランダムコポリマーの合成
（合成例５）メチルメタクリレート／ジメチルアミノエチルメタクリレート  ランダムコポリマー（Ｂ１〜Ｂ４）の合成；
アルゴン雰囲気下において、ドデシルメタクリレート２５．６ｇ、ジメチルアミノエチルメタクリレート４０．２ｇ、酸化ベンゾイル１．０ｇを８５ｇのエタノールに溶解し、８０℃で４時間反応させた。その後、室温に急冷し、エタノールで希釈して、固形分濃度５０％のランダムコポリマーＢ１溶液を得た。こうして得られたランダムコポリマーＢ１の重量平均分子量は１０２００であった。
【手続補正１４】
【補正対象書類名】明細書
【補正対象項目名】００４８
【補正方法】変更
【補正の内容】
【００４８】
【表２】
2012127981.tif 000018
※表中のＲ１〜Ｒ12及びＸ-は、前記構造式（１）〜（４）中の記号に対応する。
【手続補正１５】
【補正対象書類名】明細書
【補正対象項目名】００５１
【補正方法】変更
【補正の内容】
【００５１】
【表３】
2012127981.tif 000019
※表中のＲ１〜Ｒ12及びＸ-は、前記構造式（１）〜（４）中の記号に対応する。